(57)【要約】      （修正有）【課題】簡便で收納に便利な折畳み式の底無し雨避け靴カバーを提供する。【解決手段】前カバーシート１０、カバーシート、支持部材１２、及び結合部材で結合され、該前カバーシート周囲には途切れることなく支持部材を取り付ける。後カバーシート１１に切り欠きを形成し、該切り欠きは前カバーシートと接合する。後カバーシートの前後の側辺に結合部材を取り付けて、両者のカバーシートを結合させ、このうちの一方のカバーシートに支持部材を取り付け、装着の利便性を提供し、折畳み收納を可能にした。【選択図】図１
0003173551.tif 000002
【実用新案登録請求の範囲】
【請求項１】
少なくとも前カバーシート、後カバーシート、支持部材、及び複数の結合部材を含んで構成され、前記前カバーシートの周囲に環状の支持部材を取り付け、前記支持部材の間に複数のカール部を形成し、後カバーシートの前後の側辺に結合部材を取り付けると共に、後カバーシートの間に弧形の切り欠きを形成して、前カバーシートと結合させることで、収納や携帯に便利なように形態全体が折り畳まれて体積が縮小すると共に、素早く着脱でき、重複使用が可能なことを特徴とする折畳み式の底無し雨避け靴カバー。
【請求項２】
前記前、後カバーシートの材質は防水薄膜又は防水生地でよいことを特徴とする請求項１に記載の折畳み式の底無し雨避け靴カバー。
【請求項３】
前記防水薄膜の材質はシリコーン、熱可塑性ポリウレタン樹脂、ポリエチレン、ポリプロピレン、粘着シリコーン、若しくはポリ塩化ビニル又はその発泡体で実施されることを特徴とする請求項２に記載の折畳み式の底無し雨避け靴カバー。
【請求項４】
前記防水生地の素材はナイロン、ポリエステル、又はポリプロピレンで実施されることを特徴とする請求項２に記載の折畳み式の底無し雨避け靴カバー。
【請求項５】
前記防水薄膜の厚みは約０．０１ｍｍから２ｍｍで実施されることを特徴とする請求項２に記載の折畳み式の底無し雨避け靴カバー。
【請求項６】
前記支持部材は弾性のある若しくは弾性のないピアノ線、形状記憶ワイヤ、亜鉛めっき鉄線、細ワイヤロープ、又はステンレス鋼線材等の金属線で実施されることを特徴とする請求項１に記載の折畳み式の底無し雨避け靴カバー。
【請求項７】
前記支持部材の直径は約０．０５ｍｍから３ｍｍで実施されることを特徴とする請求項１に記載の折畳み式の底無し雨避け靴カバー。
【請求項８】
前記後カバーシートの結合部材はマジックテープ（登録商標）、ファスナ、又は粘着シリコーンシートで実施されることを特徴とする請求項１に記載の折畳み式の底無し雨避け靴カバー。
【請求項９】
前記前カバーシートの前部底側の間の支持部材は、別途並列にリベット締め、固着、又は溶接する方法で亜鉛めっき鉄線やステンレス鋼線材を取り付けて実施されることを特徴とする請求項１に記載の折畳み式の底無し雨避け靴カバー。
【請求項１０】
前記支持部材は半円形に取り囲んで実施されることを特徴とする請求項１に記載の折畳み式の底無し雨避け靴カバー。
【考案の詳細な説明】
【技術分野】
【０００１】
本考案は、折畳み式の底無し雨避け靴カバーに関し、より詳しくは、軽くて薄い素材で製造され、携帯に便利で且つ素早く着脱でき、折畳み收納が可能な特性を備えた雨避け靴カバーに関する。
【背景技術】
【０００２】
海洋性気候の国ではスコールによく見舞われことがあり、雨降りの際に使用される雨避け用具は雨合羽や雨傘等であるが、これらは上着やズボンを雨避けするに留まり、ズボンの裾や靴、靴下の一部は大量の雨水を吸着して、かなりの悩みの種となっており、ライダーにとり、目下市販されている雨靴カバーは底の有るタイプの靴カバーであり、好ましい雨避け效果はあるものの、收納や着脱性が相対的に劣る。
【０００３】
また、別の形式は便利なタイプの雨靴カバー（例：簡便なタイプの雨合羽）で利便性を提供するものの、すっぽり被せるタイプであるためユーザが転倒し易く、更には各種の靴のタイプに対応できない。
【０００４】
出願人が以前特許文献１で開示した「底無し雨避け靴カバーの構造改良」では、前記底無し雨避け靴カバーはプラスチックで一体成型しており、一側を切り欠き状に形成してベルクロ（登録商標）部材を取り付け、素早く装着する雨靴カバーを提供したが、前記雨避け靴カバーの厚みが厚く、簡便で收納に長けた機能を果たし得なかった。
【先行技術文献】
【特許文献】
【０００５】
【特許文献１】台湾特許第１００２１２０６９号
【考案の概要】
【考案が解決しようとする課題】
【０００６】
然しながら、前述した従来の技術では、前記簡便型靴カバーは各種の靴のタイプを提供できず、転倒し易く、また簡便で收納の機能を果たし得なかったことから、出願人は思考と設計の末、靴カバーを薄い複数のカバーシートで結合して底無し状に取り付け、前カバーシートの間に支持部材を取り付け、後カバーシートは切り欠き状に形成して、前後の側辺に結合部材を取り付けることで、前記欠点を改良して簡便で收納に便利な折畳み式の底無し雨避け靴カバーを達成した。
【０００７】
本考案は、このような従来の問題に鑑みてなされたものである。上記課題解決のため、本考案は、簡便で收納に便利な折畳み式の底無し雨避け靴カバーを提供することを主目的とする。
【課題を解決するための手段】
【０００８】
上記の課題を解決し、目的を達成するために、本考案に係る折畳み式の底無し雨避け靴カバーは前記前、後カバーシートの材質が防水薄膜又は防水生地でよいことを特徴とする。
【０００９】
本考案に係る折畳み式の底無し雨避け靴カバーの前記防水薄膜は、シリコーン
(Silicone)、熱可塑性ポリウレタン樹脂(Thermoplastic
Polyurethane)、ポリエチレン(Polyethylene)、ポリプロピレン(Polypropylene)、粘着シリコーン(Sticky
Silicone)、若しくはポリ塩化ビニルPVC(Polyvinyl
chloride)、又はその発泡体で実施されることを特徴とする。
【００１０】
本考案に係る折畳み式の底無し雨避け靴カバーの前記防水生地は、ナイロン(Nylon)、ポリエステル(polyester)、ポリプロピレン(Polypropylene)で実施されることを特徴とする。
【００１１】
本考案に係る折畳み式の底無し雨避け靴カバーの前記防水薄膜の厚みは、約０．０１ｍｍから２ｍｍで実施されることを特徴とする。
【００１２】
本考案に係る折畳み式の底無し雨避け靴カバーの前記支持部材は、弾性のある又は弾性のないピアノ線、形状記憶ワイヤ、亜鉛めっき鉄線、細ワイヤロープ又はステンレス鋼線材等の金属線で実施されることを特徴とする。
【００１３】
本考案に係る折畳み式の底無し雨避け靴カバーの前記支持部材は、周囲の間に複数のカール部を形成することを特徴とする。
【００１４】
本考案に係る折畳み式の底無し雨避け靴カバーの前記支持部材の直径は、約０．０５ｍｍから３ｍｍで実施されることを特徴とする。
【００１５】
本考案に係る折畳み式の底無し雨避け靴カバーの前記前、後カバーシートの結合は、高周波、超音波熱溶着、ヒートシール、縫い付け、テープ等の方法で実施されることを特徴とする。
【００１６】
本考案に係る折畳み式の底無し雨避け靴カバーの前記後カバーシートは、粘着シリコーン材(Sticky Silicone)でも実施されることを特徴とする。
【００１７】
本考案に係る折畳み式の底無し雨避け靴カバーの前記後カバーシートの結合部材は、マジックテープ（登録商標）、ファスナ、又は粘着シリコーンシートで実施されることを特徴とする。
【００１８】
本考案に係る折畳み式の底無し雨避け靴カバーの前記支持部材の先端部は、別途並列にリベット締めで亜鉛めっき鉄線やステンレス鋼線材を取り付けて実施されることを特徴とする。
【００１９】
本考案に係る折畳み式の底無し雨避け靴カバーの前記支持部材は、半円形に取り囲んで実施されることを特徴とする。
【考案の効果】
【００２０】
本考案によれば、簡便で收納に便利な折畳み式の底無し雨避け靴カバーが得られる。
【図面の簡単な説明】
【００２１】
【図１】本考案に係る折畳み式の底無し雨避け靴カバーの斜視概略図である。
【図２】本考案に係る折畳み式の底無し雨避け靴カバーを分解した斜視概略図である。
【図３】本考案に係る折畳み式の底無し雨避け靴カバーの支持部材を接合した概略図である。
【図４】本考案に係る折畳み式の底無し雨避け靴カバーの支持部材における湾曲端の概略図である。
【図５】本考案に係る折畳み式の底無し雨避け靴カバーの前カバーシートを上面から見た実施形態の概略図である。
【図６】本考案に係る折畳み式の底無し雨避け靴カバーの前カバーシートを正面から見た実施形態の概略図である。
【図７】本考案に係る折畳み式の底無し雨避け靴カバーの折畳み状態を上面から見た実施形態の概略図である。
【図８】本考案に係る折畳み式の底無し雨避け靴カバーの折畳み状態を側面から見た実施形態の概略図である。
【図９】本考案に係る折畳み式の底無し雨避け靴カバーの前カバーシートに固持部材を取り付けた実施形態の概略図である。
【図１０】本考案に係る折畳み式の底無し雨避け靴カバーの支持部材を取り付けた実施形態の概略図である。
【考案を実施するための形態】
【００２２】
以下、本考案を実施するための形態について、図面に基づいて詳細に説明する。なお、本考案は、以下に説明する実施形態に限定されるものではない。
【００２３】
［第１実施形態］
本考案の第１実施された形態の構成を図１から図１０に示す。図１と図２によれば、前記底無し雨避け靴カバー１は前カバーシート１０、後カバーシート１１、支持部材１２、及び結合部材１３、１３′で結合され、前記前カバーシート１０は楕円形のカバーシートで、周囲に支持部材を取り付けて定型効果を達成して靴の表面を覆い、前カバーシート１０の一側の接合部１４と後カバーシート１１の切り欠き１５の接合部１４′を接合するが、前記接合方法は高周波、超音波熱溶着、ヒートシール、縫い付け、テープ等の方法で実施される。
【００２４】
前記後カバーシート１１は長方形のカバーシートに近く、ふくらはぎを巻いて覆い、一箇所に弧状の切り欠き１５を形成し、前後の側辺にそれぞれオス、メスで接着する結合部材１３、１３′を取り付け、前記結合部材１３、１３′はマジックテープ（登録商標）、ファスナ、又は粘着シリコーンシートで実施され、前記切り欠き１５の接合部１４′は前カバーシート１０の接合部１４と相互に接合されるが、接合方法は高周波、超音波熱溶着、ヒートシール、縫い付け、テープ等の方法で実施される。前記前、後カバーシート１０、１１の材質は防水薄膜又は防水生地でよく、防水薄膜はシリコーン、熱可塑性ポリウレタン樹脂、ポリエチレン、ポリプロピレン、粘着シリコーン、ポリ塩化ビニル、又はその発泡体で実施され、前記厚みは約０．０１ｍｍから２ｍｍで実施され、また、防水生地はナイロン、ポリエステル、ポリプロピレンで実施され、或いは、前記前、後カバーシート１０、１１各素材の膜、生地、又は同質素材を組合せて実施される。然しながら、前記後カバーシート１１は前記材質のような粘着シリコーン膜でも実施され、結合部材１３、１３′を使用する必要が無く、自動的に相互に接着し、また、前、後カバーシート１０、１１の結合は局部又は全部を防水性の薄膜でも実施される。
【００２５】
前記支持部材１２は細い棒状に近く、途切れることなく取り囲んで取り付けられ、湾曲した端部Ａ、Ｂにはバネ状のカール部１２１を回転状に取り付け（図４参照）、好ましい湾曲性を提供し、支持部材は弾性のある又は弾性のないピアノ線、形状記憶ワイヤ、亜鉛めっき鉄線、細ワイヤロープ又はステンレス鋼線材等の金属線で、且つ直径が約０．０５ｍｍから３ｍｍで実施され、前カバーシートの周囲に取り付けられる。また、図１０のように、前記支持部材１２は半円形で前カバーシート１０の間に取り付けて実施される。
【００２６】
前記結合部材１３、１３′はオス、メス部材の接合で、それぞれ後カバーシート１１の前後の側辺に取り付けられ、前記結合部材１３、１３′はマジックテープ（登録商標）、ファスナ、又は粘着シリコーンシートで実施され、前カバーシート１０と後カバーシート１１は薄膜材質を取り付けて接合し、前カバーシート１０の周囲の間に湾曲可能な支持部材１２を取り付け、ユーザの着脱に更に便利になる上に、簡便で折り畳んで收納し易い特性を持たせる。
【００２７】
図３、図４、図５、及び図６は支持部材１２の実施概略図であり、前記底無し雨避け靴カバー１は前カバーシート１０、後カバーシート１１、支持部材１２、及び結合部材１３、１３′で結合され、前記前カバーシート１０の周囲に支持部材１２を取り付け、前記支持部材１２は途切れることなく取り囲むように取り付けられ、弾性のある又は弾性のないピアノ線、形状記憶ワイヤ、亜鉛めっき鉄線、細ワイヤロープ又はステンレス鋼線材等の金属線で、且つ直径が約０．０５ｍｍから３ｍｍで実施されるが、平棒状の支持部材１２でも実施される。然しながら、支持部材１２の先端と末端の両端は接合部材１２０で両端部を押さえて接合し、取り囲んだ形に形成する。また、図４のように、前記前述の支持部材１２は取り囲むように取り付けられるが、端部Ａ、Ｂは好ましい湾曲性を持たせるため、バネ形状のカール部１２１を取り付け、支持部材１２の両側を下向きに湾曲すると、大きな湾曲角度を有し、図５、図６のように、前カバーシートが靴の面の前半部を覆うために、ユーザは自分で両側を下向きに湾曲させて逆Ｕ字型の形にして、靴表面を覆うことができる。
【００２８】
図７、図８は折り畳んで收納した上面と側面の概略図であり、前記底無し雨避け靴カバー１は厚みが軽くて薄い薄膜や生地で製造され、２つの異なる形状のカバーシートで接合して成型される。然しながら、前カバーシート１０の周囲に支持部材１２を取り付け、前記カバーシートを湾曲可能で形が回復するように形成する。本考案は前記支持部材１２が湾曲可能で且つ回復する特性を備え、カバーシートが軽くて薄くどの様にも折り畳まれ、本底無し雨避け靴カバー１を收納する際、後カバーシート１１を折り畳んで前カバーシート１０内に収納し、後カバーシート１１を折り畳んだ厚みにより、前カバーシート１０の間の支持部材１２の圧迫を軽減することができ、全体を折り畳むことで、全体の体積を縮小させることができ、素材が軽くて薄いことから、ユーザは携帯可能な物品として利便性が一層増す。
【００２９】
図９は前カバーシートの間に固持部材を取り付けた実施形態の概略図であり、底無し雨避け靴カバー１に好ましい固持性を持たせるため、別途支持部材１２の前縁底部に弧形状の固持部材１６を並列に増設し、固持部材１６は弾性のない自由に湾曲可能な亜鉛めっき鉄線やステンレス鋼線材で実施され、前記固持部材１６の先端部は、リベット締め、固着、又は溶接の方法で支持部材１２と並列に接合し、固持部材１６の一部は前カバーシート１０の外縁から露出し、ユーザが底無し雨避け靴カバー１の装着を完了すると、ユーザのニーズに応じて固持部材１６を別方向に湾曲して固持して、靴カバーの安定性を増すことができる。
【００３０】
以上、本考案はこのような実施形態に限定されるものではなく、考案の趣旨を逸脱しない範囲において、種々の形態で実施することができる。
【符号の説明】
【００３１】
１        底無し雨避け靴カバー
１０      前カバーシート
１１      後カバーシート
１２      支持部材
１２０    接合部材
１２１    カール部
１３、１３′  結合部材
１４、１４′  接合部
１５      切り欠き
１６      固持部材
２        靴
Ａ、Ｂ    端部
【図１】
0003173551.tif 000003
【図２】
0003173551.tif 000004
【図３】
0003173551.tif 000005
【図４】
0003173551.tif 000006
【図５】
0003173551.tif 000007
【図６】
0003173551.tif 000008
【図７】
0003173551.tif 000009
【図８】
0003173551.tif 000010
【図９】
0003173551.tif 000011
【図１０】
0003173551.tif 000012